(57)【要約】【課題】  デッドボルトが出入りする穴から錠箱内に薄い板を差込んでも不正解錠をすることができない錠箱を提供する。【解決手段】  錠箱内に、従動切欠５を一体に形成したデッドボルト１をフロント板２に垂直な前後方向に移動可能に案内し、一方、シリンダ錠或いはサムターンに連結されたダルマ３に一体に形成された施解錠アーム４を上記従動切欠５と係合させ、ダルマ３を所定の方向に回動させることにより施解錠するようにしたものにおいて、錠前の施錠時における施解錠アーム４の先端とフロント板２との間に、ガード体１１を設ける。【選択図】  図３
2005320706.tif 000002
【特許請求の範囲】
【請求項１】
錠箱内に、従動切欠を一体に形成したデッドボルトをフロント板に垂直な前後方向に移動可能に案内し、一方、シリンダ錠或いはサムターンに連結されたダルマに一体に形成された施解錠アームを上記従動切欠と係合させ、ダルマを所定の方向に回動させることにより施解錠するようにしたものにおいて、錠前の施錠時における施解錠アームの先端とフロント板との間に、ガード体を設けたことを特徴とする錠箱の構造。
【発明の詳細な説明】
【技術分野】
【０００１】
この発明は、錠箱の構造（以下単に錠箱という）に係り、特に、錠箱のフロント板に開口したボルト孔等から薄い板を錠箱内に差し入れての不正解錠を有効に防止できる錠箱に関する。
【背景技術】
【０００２】
本出願人は、先に、後記特許文献１を以て、所謂トリガーボルトが出入りする穴から錠箱内に薄い板を差し入れて不正解錠することを防止しうる錠箱を提案した。
【０００３】
この錠箱は、図１に示すように、斜面を有するボルトヘッド１ａを先端に装着したラッチボルトを兼ねるデッドボルトを、先端５ａをボルトヘッド１ａの段部に係合させる方向に付勢されたロッキングアーム５により施解錠制御するようにした錠前の錠箱において、ロッキングアームの先端５ａを包囲するように断面Ｌ字形のトリガーカバー１５を設けたものである。
【０００４】
図１に示す錠箱は、トリガー７と、フロント板２に開口したトリガー７が出入りする穴から薄い板を差込み、その薄い板によってロッキングアームの先端を不正に操作して解錠することを防止する。
【特許文献１】特願２００３−１８２７５１
【発明の開示】
【発明が解決しようとする課題】
【０００５】
一方、錠前の種類は図１に示すものに限らず、例えば図２に示すように、図示しないシリンダ錠或いはサムターンに連結されるダルマ３と一体の施解錠アーム４を、デッドボルト１に形成された従動切欠５に係合させ、ダルマ３を所定の方向に回動させてデッドボルト１をフロント板２から出し入れするのが一般的である。
【０００６】
なお、図１に示す錠前は、施錠時デッドボルト１が突出すると共にカマ８が反時計方向に回動しつつ降り出てストライク９に係合タイプであるが、このカマ８はこの発明の必須の公正ではない。
【０００７】
上記した構成の錠箱は、フロント板２に開口したデッドボルト１が出入りする付番しないボルト孔は、デッドボルト１を円滑に作動させるため、当然その開口端縁とデッドボルト１との間に隙間を設ける。
【０００８】
そのため、図２から明らかなように、デッドボルトが出入りする穴とデッドボルトの間の隙間から薄い鋼板等を差込み、施解錠アーム４を内方に押込んで不正解錠をすることが可能である。
【０００９】
そこで、この発明は、デッドボルトが出入りする穴から錠箱内に薄い板を差込んでも不正解錠をすることができない錠箱を提供することを目的としている。
【課題を解決するための手段】
【００１０】
上記の目的を達成するため、請求項１に記載の発明は、錠箱内に、従動切欠を一体に形成したデッドボルトをフロント板に垂直な前後方向に移動可能に案内し、一方、シリンダ錠或いはサムターンに連結されたダルマに一体に形成された施解錠アームを上記従動切欠と係合させ、ダルマを所定の方向に回動させることにより施解錠するようにしたものにおいて、錠前の施錠時における施解錠アームの先端とフロント板との間に、ガード体を設けたことを特徴とする。
【発明の効果】
【００１１】
上記のように構成された請求項１に記載の発明は、デッドボルトが出入りする穴の隙間から薄い板を錠箱内に差込んで施解錠アームを不正に操作使用としても、その先端がガード体によってそれ以上の挿入を阻止され、或いはあらぬ方向に偏向させられるので、薄い板によって施解錠アームを操作することができず、したがって不正解錠を防止できる、という所期の効果を奏する。
【００１２】
また、簡単な構造のガード体を施解錠アームの付近に設けるだけでよいから、実施が極めて容易である、等種々の効果を奏する。
【発明を実施するための最良の形態】
【００１３】
錠前の施錠時における施解錠アームの先端とフロント板との間に、ガード体を設けるだけで、デッドボルトが出入りする穴とデッドボルトとの隙間から薄い板を差込んでの不正解錠を完全に防止できる。
【実施例１】
【００１４】
以下、この発明の実施例を図３及び図４を参照して説明する。
図３及び図４において符号１１はガード体を示し、このガード体１１は、図３に示すように、施錠時における施解錠アームの角度位置、すなわち、施解錠アームがフロント板２に最も近接する角度位置、における施解錠アームの先端とフロント板との間に設けられている。
【００１５】
図示の実施例におけるガード体１１は、図３及び図４に示すように、断面がＬ字形に折曲された板状体で、その図４における上下両端に突設された係合片１２、１２を錠箱の側板に開口した図示しない係合穴に挿入することにより錠箱内に装着される。
【００１６】
なお、図３から明らかなように、不正解錠に対抗するだけならばガード体１１の垂直な部分（図３でフロント板２に平行な部分）だけでよく、かつ、その部分も垂直である必要はないが、図３及び図４に示すように断面Ｌ字形にすると、製造が用意で、また、錠箱の蓋（一方の側板）を開いての組立時、ガード体１１の座りが良く組立が容易になるので好適である。
【００１７】
上記のように構成されたこの発明の一実施例による錠箱は、ガード体１１が錠箱の一対の側板の間に跨がった態様で施解錠アーム４の先端をガードするから、デッドボルトが出入りする穴の隙間から薄い板を差し入れてもガード板１１によって更なる挿入を阻止され、或いはガード体１１によってその先端の方向を偏向されてしまうので、上記薄い板を施解錠アームに接触させることさえできず、ししたがって不正解錠を完全に防止できる。
【００１８】
また、同様の理由により、デッドボルトが出入りする穴の垂直な隙間から薄い板を錠箱内に差込み、換言すれば、図３において錠箱の側板に水平な薄い板を錠箱内に差込み、これを振り回して施解錠アーム４を攻撃しようとしても、その先端を施解錠アーム４の図３における左側に差し入れることができず、したがって不正解錠を完全に防止できる。
【図面の簡単な説明】
【００１９】
【図１】従来の錠箱の一部断面一部側面図。
【図２】別の従来の錠箱の一部断面側面図。
【図３】この発明の一実施例による錠箱の一部断面側面図。
【図４】ガード体の外観斜視図。
【符号の説明】
【００２０】
１  デッドボルト
２  フロント板
３  ダルマ
４  施解錠アーム
５  従動切欠
８  カマ
９  ストライク
１１  ガード体
１２  係合片
【図１】
2005320706.tif 000003
【図２】
2005320706.tif 000004
【図３】
2005320706.tif 000005
【図４】
2005320706.tif 000006